(57)【要約】【課題】髪の乾燥とボリュームアップを同時に行うことができる櫛型のアタッチメント付きヘアードライヤを提供すること。【解決手段】熱源、ファン及びファンを駆動するモータを内蔵したヘアードライヤ本体の先端の空気吐き出し口に櫛形アタッチメント１６が取り付けられたヘアードライヤで、櫛形アタッチメント１６は、空気吐き出し口の延在方向に設けられた板状の前面基板１６ｂと、前面基板１６ｂから突出した複数本の櫛の歯１６ｃ、１６ｄとを備え、これらの櫛の歯のうち一部は中空円筒形状で櫛の歯１６ｃの途中から先端に至る割り溝１６ｅが形成された送風用のノズルピンであり、他の櫛の歯１６ｄはブラッシング用のピンとされている。ノズルピン１６ｃは前面基板１６ｂの中央部分に配置され、ブラッシングピン１６ｄはノズルピン１６ｃより長く、ノズルピン１６ｃの外側周囲に配置されている。【選択図】  図５
2011217996.tif 000002
【特許請求の範囲】
【請求項１】
熱源、ファン及び前記ファンを駆動するモータを内蔵したヘアードライヤ本体の先端に設けた空気吐き出し口に櫛形アタッチメントが取り付けられたヘアードライヤにおいて、
前記櫛形アタッチメントは、前記空気吐き出し口の延在方向に設けられた板状の前面基板と前記前面基板から突出した複数本の櫛の歯とを備え、
前記櫛の歯のうち少なくとも一部は、中空円筒形状で途中から先端に至る割り溝が形成された送風用のノズルピンであって、前記前面基板の中央部分に配置され、
他の櫛の歯は、整髪用のブラッシングピンであって、前記ノズルピンより長く形成されて前記ノズルピンの外側周囲に配置されていることを特徴とするヘアードライヤ。
【請求項２】
前記ブラッシングピンには、側面に複数の凹部が形成されていることを特徴とする請求項１に記載のヘアードライヤ。
【請求項３】
前記前面基板の前記ブラッシングピンの外側周囲は風の吹き出し孔で囲まれていることを特徴とする請求項１又は２に記載のヘアードライヤ。
【請求項４】
前記櫛の歯は、前記前面基板に連結した基部から前記先端にかけて先細に形成され、前記先端部が丸められていることを特徴とする請求項１〜３のいずれかに記載のヘアードライヤ。
【請求項５】
前記櫛形アタッチメントは、前記前面基板にヘアードライヤ本体と連結する基部を備え、前記基部が前記空気吐き出し口に着脱可能に取り付けられることを特徴とする請求項１〜４のいずれかに記載のヘアードライヤ。
【発明の詳細な説明】
【技術分野】
【０００１】
この発明はヘアードライヤに関し、詳しくは、ヘアードライヤ本体の先端に装着する温風の吐出ノズルを櫛形アタッチメントとした、毛髪の乾燥、ボリュームアップのための適切な機能を有するヘアードライヤに関する。
【背景技術】
【０００２】
従来、ヘアードライヤ、ヘアーブロッサ、あるいはハンドドライヤなどと呼ばれるヘアードライヤ類（以下まとめて「へアードライヤ」という）のうち、カール機能を重視した、いわゆるカールドライヤにおいては、カールドライヤ本体の風の吐出し口に吐き出される熱風を絞って毛髪の乾燥、セットを行えるように吐出ノズルを設けている。しかし、ノズルの開口面積を変化させて絞るだけでは、整風された熱風を得ることはできても、毛を梳かす場合に一方の手でドライヤを、他方の手で櫛を保持して梳かす必要があった。そこで、カールドライヤ本体に着脱される櫛形アタッチメントとして、ブローブラシ、ボリュームアップ用のロールブラシ、乾燥用のブラシなど必要な機能に対応したそれぞれのブラシが提供されていた。
【０００３】
この種のドライヤとして、下記特許文献１には、基体の上部パネル側に，テーパを持つ長い外部歯の列と、これよりも短い内部歯の列とを有し、基体の下部パネル側に把持エレメント（ハンドル）を有する髪の毛のグルーミング（毛繕い）装置が開示されている。下記特許文献１のこのグルーミング装置は、上記のような構造を有することによって、構成が簡潔で、ブラッシングすること、カールすること、毛を摘み上げること、逆毛をたてることなどの毛繕いを簡便に行うことができるものである。
【０００４】
また、下記特許文献２には、熱源、ファン及びファンを駆動するモータを内蔵したヘアードライヤ本体の先端の空気吐き出し口に櫛形アタッチメントを取り付けたヘアードライヤが開示されている。その櫛形アタッチメントは、アタッチメントの前面基板から突出した複数の中空円筒形状の歯にその歯を分割するように歯の途中から先端に至る割り溝が形成された櫛の歯を有している。そして、櫛形アタッチメントは、その櫛の歯がアタッチメントの前面基板の中央部分に複数列配置され、歯の周囲は風の吹き出し孔で囲まれた構成を有している。
【０００５】
このような下記特許文献２に開示されている櫛形アタッチメントによれば、その櫛の歯が、前面基板から突出した複数の中空円筒形状の歯に、その歯を分割する歯の中間部から先端に至る割り溝が設けられているので、櫛の歯の先端を十分に丸めることができ、弾力性もよく、頭皮をいためるおそれが少なく、かつ勢いのよい快適な風が得られるという効果を奏する。そして、この櫛形アタッチメントにおいては、毛髪の根元や頭皮に刺激を与え、あるいは毛髪の根元や頭皮に付着したゴミや埃、あるいは頭皮から分泌される臭いの元を除去することもできるとされている。
【先行技術文献】
【特許文献】
【０００６】
【特許文献１】特開平６−３８８２４号公報
【特許文献２】特開２００７−８９６４２号公報
【発明の開示】
【発明が解決しようとする課題】
【０００７】
しかしながら、上記特許文献１に開示されているグルーミング装置の上部パネルにおいては、櫛の歯が植えられた基体の中心には高温の空気を通すための孔を設けているが、この孔は上部パネルの基体面に開口しているので、整髪時に櫛の歯の先端部が捉えている頭髪の中にまで十分な温風を行渡らせることができない。そのためにブラッシングにはよいが、カールやボリュームアップに時間が掛かるので、髪の毛をいため、また風を強くする必要を生じて快適さが損なわれ、ファンの負荷を大きくするとカールドライヤが過熱するおそれも生じる。
【０００８】
また、上記特許文献２に開示されている吐出ノズルにおいては、櫛の歯に割り溝を設けているので、温風は十分に行渡るものの、櫛の歯に貫通孔があるために各櫛の歯の太さをあまり小さくできないこと、そのためにカール用としてはよいが、ブラッシング用の歯としては、やや太めになりがちであることなどの問題があった。
【０００９】
本発明者等は、前記のような従来技術の問題点を解決すべく種々検討を行った結果、ヘアードライヤの吐出ノズルにおいて、アタッチメントの櫛の歯として割り溝を形成した送風用のノズルピンと割り溝の無い整髪用のブラッシングピンを併設すると、１個のアタッチメントで髪の乾燥とボリュームアップが容易にできるヘアードライヤを提供できることを見出し、本発明に至ったのである。
【００１０】
すなわち、本発明は、１個のアタッチメントで快適なブラッシングと髪の乾燥とボリュームアップとが容易にできるヘアードライヤを提供することを目的とする。
【００１１】
また、本発明は、髪のカールの際にブラッシングピンに巻きつけられた髪毛の途中から先端まで送風が十分に行渡り、乾燥や加熱が速やかに行なわれる効率のよいヘアードライヤを提供することを目的とする。
【００１２】
また、本発明はブラッシングの際に髪毛がブラッシングピンに絡みつくことが少なく、髪にブラシの通りがよいヘアードライヤを提供することを目的とする。
【課題を解決するための手段】
【００１３】
請求項１の発明に係るヘアードライヤは、熱源、ファン及び前記ファンを駆動するモータを内蔵したヘアードライヤ本体の先端に設けた空気吐き出し口に櫛形アタッチメントが取り付けられたヘアードライヤにおいて、前記櫛形アタッチメントは、前記空気吐き出し口の延在方向に設けられた板状の前面基板と前記前面基板から突出した複数本の櫛の歯とを備え、前記櫛の歯のうち少なくとも一部は、中空円筒形状で途中から先端に至る割り溝が形成された送風用のノズルピンであって、前記前面基板の中央部分に配置され、他の櫛の歯は、整髪用のブラッシングピンであって、前記ノズルピンより長く形成されて前記ノズルピンの外側周囲に配置されていることを特徴とする。
【００１４】
請求項２の発明に係るヘアードライヤは、請求項１に記載のヘアードライヤにおいて、前記ブラッシングピンには、側面に複数の凹部が形成されていることを特徴とする。
【００１５】
請求項３の発明に係るヘアードライヤは、請求項１又は２に記載のヘアードライヤにおいて、前記前面基板の前記ブラッシングピンの外側周囲は風の吹き出し孔で囲まれていることを特徴とする。
【００１６】
請求項４の発明に係るヘアードライヤは、請求項１〜３のいずれかに記載のヘアードライヤにおいて、前記複数本の櫛の歯は、前記前面基板に連結した基部から前記先端にかけて先細に形成され、前記先端部が丸められていることを特徴とする。
【００１７】
請求項５の発明に係るヘアードライヤは、請求項１〜４のいずれかに記載のヘアードライヤにおいて、前記櫛形アタッチメントは、前記前面基板にヘアードライヤ本体と連結する基部を備え、前記基部が前記空気吐き出し口に着脱可能に付けられていることを特徴とする。
【発明の効果】
【００１８】
請求項１の発明によれば、櫛形アタッチメントは空気吐き出し口の延在方向に設けられた板状の前面基板とその前面基板から突出した複数本の櫛の歯とを備え、前記櫛の歯のうち少なくとも一部は中空円筒形状でその途中から先端に至る割り溝が形成された送風用のノズルピンであって前面基板の中央部分に配置され、他の櫛の歯は整髪用のブラッシングピンであって送風用のノズルピンより長い寸法に形成されてノズルピンの外側周囲に配置されたことによって、髪のカールの際にブラッシングピンにからげられた髪毛の根元までノズルピンから風を送ることができる。櫛形アタッチメントがこのような構成を持つので、１本のブラシで快適なブラッシングと髪の乾燥とボリュームアップが容易にできるヘアードライヤを提供することができる。また、カールの際にブラッシングピンに巻きつけられた髪毛の途中から先端まで送風が十分に行渡り乾燥や温風による加熱が速やかに行なわれるので、効率よくカールさせることができるヘアードライヤを提供することができる。
【００１９】
請求項２の発明によれば、請求項１の発明の効果に加えて、ブラッシングピンは、ピンの側面に複数の凹部が形成されていることによって、ブラッシングの際に髪毛がブラッシングピンに絡みつくことが少なく、髪毛に通りがよいヘアードライヤを提供することができる。
【００２０】
請求項３の発明によれば、請求項１又は２に記載の発明の効果に加えて、前面基板のブラッシングピンの外側周囲は風の吹き出し孔で囲まれていることにより、吹き出す風に対する抵抗を小さくすることができ、ファンに対する負荷が小さくでき、効率が良く、毛根の刺激効果に優れた快適な風が得られるヘアードライヤを提供できる。
【００２１】
請求項４の発明によれば、請求項１〜３のいずれかに記載の発明の効果に加えて、前記複数本の櫛の歯（ノズルピン及びブラッシングピン）は、前面基板に連結した基部から先端にかけて先細に形成され、その先端部が丸められていることによって、櫛の歯の弾力性もよく、その先端で頭の皮膚を傷めたりするおそれが無く、ブラッシングで髪毛の根元や皮膚に対して快適で大きな刺激を与えることができ、また髪毛の根元や皮膚に付着したゴミや埃、あるいは皮膚から分泌される臭いの元を除去することができる。
【００２２】
請求項５の発明によれば、櫛形アタッチメントは、前面基板にヘアードライヤ本体と連結する基部を備え、その基部が空気吐き出し口に着脱可能に取り付けられるようにしてあるので、ブラッシングや整髪の後でブラシの清掃をするのに便利であり、清潔な弾力性に優れた櫛の歯を備えて毛髪の乾燥、セットを行うことができる櫛形アタッチメントを提供することができる。
【図面の簡単な説明】
【００２３】
【図１】図１は、本発明の一実施例に係るカールドライヤの平面図である。
【図２】図２は、図１のカールドライヤ本体にとりつけられる櫛形アタッチメントの正面図である。
【図３】図３は、図１のカールドライヤ本体にとりつけられる櫛形アタッチメントの側面図である。
【図４】図４は、櫛形アタッチメントの上面図である。
【図５】図５は、櫛形アタッチメントの斜視図である。
【発明を実施するための形態】
【００２４】
以下、実施例及び図面を参照して、本発明の実施形態を説明する。但し、以下に示す実施形態は、本発明の技術思想を具体化するためのヘアードライヤの一例を例示するものであって、本発明をこのヘアードライヤに特定することを意図するものではない。本発明は、特許請求の範囲に含まれるその他の実施形態のものにも等しく適用し得るものである。
【実施例】
【００２５】
以下は、ヘアードライヤのうち特にカールドライヤを例として説明する。図１は、本発明に係るカールドライヤの一実施例の平面図である。図２は、図１のカールドライヤの本体にとりつけられる櫛形アタッチメントの正面図である。図３は、図２のカールドライヤの櫛形アタッチメントの側面図である。図４は、櫛形アタッチメントの上面図である。図５は、櫛形アタッチメントの斜視図である。
【００２６】
図１に示すカールドライヤ１は、図示しない熱源、ファン及びファンを駆動するモータを内蔵したカールドライヤ本体１１の先端空気吐き出し口１２に櫛形アタッチメント１６を取り付けたものである。カールドライヤ１は、筒型をしたカールドライヤ本体１１を備えている。カールドライヤ本体１１表面には、電源スイッチと、通常の送風を行なうヘルシースイッチと、強風を送風するターボスイッチとの切替えスイッチ１４が設けられている。また、カールドライヤ本体１１には、送風のホットとクールとを切替えるスイッチ１３と、櫛形アタッチメントの着脱ボタン１５も設けられている。
【００２７】
このカールドライヤ本体１１のケースは、図１に示すように、前部カバー１１ａと後部カバー１１ｂから構成され、その先端に櫛形アタッチメント１６が着脱自在に取り付けられる。ケースの前部カバー１１ａ及び櫛形アタッチメント１６は、ポリカーボネートや耐熱性ＡＢＳ樹脂等の耐熱性プラスチックスの成型品により構成される。
【００２８】
ケースは、前部カバー１１ａの前部において縦断面の輪郭が前方に向けやや先細になった略円筒形をなしている。ケースの内部は、図示を省略したが、２つの部分からなる。カールドライヤ本体１１の後端、すなわちケースの後端は吸気口であり、外気を導入するための複数の孔を設けた後部カバー１１ｂが、多数の蜂の巣状の孔を備えた金属板の円形ドーム形状をなして取り付けられている。カールドライヤ本体１１のケースの前端開口部１２は風の吹き出し口となっており、そこに櫛形アタッチメント１６が着脱自在に取り付けられている。一方、カールドライヤ本体１１のケースの後部カバー１１ｂの中心からは給電用の電気コードが、カールドライヤ本体１１を回転させてももつれないようにして、引き出されている。
【００２９】
図示を省略したが、このカールドライヤ本体１１のケース内部には、熱風発生室を配置している。すなわち、円筒形に形成された熱風発生室は、カールドライヤ本体１１の外壁の中に絶縁外筒が配置され、熱風発生室の先端の外部へ熱風を吹き出す位置に吹き出し口グリルが取り付けられ、絶縁外筒の内部にニクロム線などの熱源を、さらに熱源の後方には風を送るファンモータを収納し、その後に送風室を設けモータに連結されたファンを設けている。送風室はファンにより、後部カバー１１ｂの吸気口から取り込んだ空気を熱風発生室に送りこむ。
【００３０】
モータに連結された送風室内のファンの風は、熱風発生室の放熱板の間を前方の櫛形アタッチメント１６に向かって送られる。なお、熱風発生室の先端部には、カールドライヤ本体１１の先端から櫛形アタッチメント１６内に突出するイオン発生のための放電装置が設けられていてもよい。
【００３１】
次に、櫛形アタッチメント１６について説明する。櫛形アタッチメント１６は、基部１６ａ、前面基板１６ｂ、前面基板から突出する複数のピン状の櫛の歯を備えている。櫛の歯は、ピン状のものであるので、総称を櫛の歯と呼び、個別にはその形態によりノズルピン１６ｃ又はブラッシングピン１６ｄと呼ぶことにする。
【００３２】
図２と図３に示したように、カールドライヤ本体１１の先端に着脱自在に嵌めこまれる櫛形アタッチメント１６の基部１６ａは、その背面は取り付けられるカールドライヤ本体１１の先端に対応して円形の取付け部を備え、基部１６ａの上面は突出する複数の櫛の歯であるノズルピン１６ｃ、ブラッシングピン１６ｄを備えた前面基板１６ｂとして扁平な円形に形成されている。櫛形アタッチメント１６は、カールドライヤ本体１１の空気吐き出し口１２にその基部１６ａが着脱可能な取り付け手段によって保持される。この取り付け手段は、この実施例では、空気吐き出し口１２に嵌め合わせてフックにより係合し固定されるようになっているが、カールドライヤ本体１１に櫛型アタッチメント１６を着脱自在に装着できるものであれば、ねじ込み等であってもよく、特に限定されず、従来公知の手段を用いることができる。
【００３３】
櫛形アタッチメント１６のノズルピン１６ｃは、図４、図５に示したように、前面基板１６ｂの中央部に３本の中空のノズルピン１６ｃが突出している。ノズルピン１６ｃには、前面基板１６ｂに連続する中空円筒形状のピンの基部１６ｈを残して、分割するようにピンの途中から先端に至る割り溝１６ｅが設けられている。先端まで割り溝１６ｅが形成され分割された形態のため、ノズルピン１６ｃは弾力性があり、また、割り溝１６ｅで分割された各部分の先端部１６ｆが先細に形成されていて、先端は丸く滑らかに仕上げることができる。ノズルピン１６ｃは中空であるため、その先端まで風を通すことができるので、使用に際しては頭髪の毛の中まで風を送り込むことができる。
【００３４】
櫛形アタッチメント１６には、ブラッシングなどで整髪するためのブラッシングピン１６ｄが、図４に示したように、前面基板１６ｂの中央部にある送風用のノズルピン１６ｃの周りにそのノズルピン１６ｃを取り巻くように突出している。ブラッシングピン１６ｄは、前面基板１６ｂ中央部にあるノズルピン１６ｃの間にも設けてある。ブラッシングピン１６ｄは、ノズルピン１６ｃよりも寸法が長く、髪毛を持ち上げて分けることができる直径の小さいピン状のものであり、弾力性に富むピンである。その先端は丸く滑らかに仕上げるような成形が施してあるので肌をいためることなく、櫛としても、使い心地のよいものが得られる。したがって、ブラッシングピン１６ｄはブラッシングに適しており、またブラッシングピン１６ｄにより螺旋状の巻き毛を作ることができる。さらに、ブラッシングピン１６ｄには、櫛形アタッチメント１６の外周に面したその外側面に多数の凹み１７が設けられている。この凹み１７を設けると、ブラッシングのときに髪の通りがよくなるので好ましい。
【００３５】
櫛形アタッチメント１６は、このような櫛の歯、すなわちノズルピン１６ｃ及びブラッシングピン１６ｄが前面基板１６ｂの中央部分とその周りに所定間隔で複数列（図では２列）配置され、ノズルピン１６ｃとブラッシングピン１６ｄの列の間には複数の多角形の風の吹き出し孔１６ｇが設けられている。さらに、外側のブラッシングピン１６ｄの外側にも前面基板１６ｂの周囲に沿って複数の多角形の風の吹き出し孔１６ｇが設けられている。ブラッシングピン１６ｄの基部周囲に設けた風の吹き出し孔１６ｇがあって、風の吹き出しに対する抵抗が少ないので、ファンに対する負荷は比較的小さくなり、風量の損失が少ない。
【００３６】
櫛形アタッチメント１６の基部１６ａ内には、ドライヤ先端の吐き出し口１２からノズルピン１６ｃの基部１６ｈの開口及びブラッシングピン１６ｄの基部周囲の風の吹き出し孔１６ｇに連続する風の流路が形成される。一方、ノズルピン１６ｃには、その途中から先端部に至る割り溝１６ｅが形成され、流路に連通する貫通孔となっている。このような構成の櫛型アタッチメント１６においては、カールドライヤ本体１１から供給された空気は、流路を通り櫛形アタッチメント１６の前面基板１６ｂ側でノズルピン１６ｃ周辺の風の吹き出し孔１６ｇから流出するとともに、前面基板１６ｂに設けた各ノズルピン１６ｃの基部１６ｈの貫通孔を通って、各歯の先端部１６ｆから櫛の歯の長手方向外方に噴出する。
【００３７】
このようなドライヤによれば、毛髪の手入れがスムースにできる。例えば、濡れた髪毛を乾燥させる場合には、ブラッシングピン１６ｄで髪毛をブラシしながらノズルピン１６ｃの先端部から噴出される温風により髪毛の根元部まで乾燥させることができる。加えて、ブラッシングピン１６ｄで髪毛の根元付近の皮膚を刺激したり、あるいは髪毛の根元や皮膚に付着したゴミや埃、あるいは皮膚から分泌される臭いの元を除去したりすることもできる。髪毛の根元や頭部の皮膚に対して刺激を与え、また髪毛の根元や皮膚に付着したゴミや埃または皮膚から分泌される臭いを除去するためには、カールドライヤ本体１１からの空気供給量を増加させ、あるいはノズルピン１６ｃの先端部１６ｆから噴出する空気速度を速くすればよく、このためには、ノズルピン１６ｃに形成する貫通孔の断面積を歯の先端部に向かって連続的に小さくすればよい。なお、カールドライヤ本体１１から供給される空気には、温風、冷風のみならずスチームも含まれるようにしてもよい。
【００３８】
ブラッシングピン１６ｄは、ノズルピン１６ｃよりも寸法が長く、髪毛を持ち上げて分けることができ、ブラッシングのみならず巻き毛を作ることが容易である。持ち上げた髪毛をカールドライヤを回転させてブラッシングピン１６ｄに巻きつけカールすると、中央部のノズルピン１６ｃの割り溝１６ｅからの送風が巻きつけられた髪毛の根元にまで温風を送るので、これにより螺旋状の巻き毛を容易に作ることができる。
【００３９】
このように、ノズルピン１６ｃが、風の吹き出し方向と同軸方向に配列されていてかつその割り溝１６ｅがあることによって空気の流れを妨げることが少ないので、ファンに与える負荷が少なくてすむ。ノズルピン１６ｃによって熱風発生室からの風に整流効果が得られ、吹き出す風に勢いを与えることができる。したがって、快適な風が得られ、弾力あるブラッシングピン１６ｄで梳かしながら毛髪の乾燥やカールが容易に行えるカールドライヤを提供できる。
【００４０】
ノズルピン１６ｃ及びブラッシングピン１６ｄの本数、立設する間隔および長さについては特に限定されるものではない。しかしながら、特にブラッシングピン１６ｄの本数はあまりに少ないと効果がないので、所望の効果がある数を選べばよい。また立設する間隔は、髪毛を梳かす作用が得られる範囲において適宜決定すればよい。長さについても、髪毛を梳かす作用を達成する限り特に限定はなく、一種類の長さ、大きさの歯だけでなく二種類以上の長さや大きさの歯を混ぜてもよい。
【００４１】
製造に当たって、前面基板１６ｂとノズルピン1６ｃ及びブラッシングピン１６ｄとは、アタッチメント基部１６ａとは別体に成形した後、アタッチメント基部１６ａに固着するのが容易であるが、アタッチメント基部１６ａと一体に成形してもよい。
【００４２】
櫛形アタッチメント１６の成形加工は、透明あるいは不透明な耐熱性プラスチックスの成形により形成するので、その製造は容易簡単である。耐熱性プラスチックスの場合は、材質としては特に限定はなく、従来公知の材料を用いることができる。このような材料としては、例えばポリカーボネートや耐熱性ＡＢＳ樹脂等の耐熱性プラスチックスがあり、また、ポリイミド樹脂は耐熱性とともに長い歯の成形に適する。それらの成型品により櫛形アタッチメント１６を構成することができる。
【００４３】
上記実施例は、カールドライヤを例として説明したが、本発明の櫛形アタッチメントはカールドライヤに用途を限定するものではなく、他の方式のヘアードライヤにも適用できるものである。また、以上には、電熱式のカールドライヤを例として説明したが、本発明の櫛形アタッチメントはヘアードライヤの構造や熱源の形式を限定するものではない。電熱式に限らず、例えばブタンやバッテリなど他の加熱方式のヘアードライヤにも適用できる。
【符号の説明】
【００４４】
１        カールドライヤ
１１      カールドライヤ本体
１１ａ    ケースの前の部分
１１ｂ    後部カバー
１２      空気吐き出し口
１３      スイッチ
１４      切替えスイッチ
１５      表示ランプ
１６      櫛形アタッチメント
１６ａ    基部
１６ｂ    前面基板
１６ｃ    ノズルピン
１６ｄ    ブラッシングピン
１６ｅ    割り溝
１６ｆ    歯の先端部
１６ｇ    風の吹き出し孔
１６ｈ    櫛の歯の基部
１７      凹み
【図１】
2011217996.tif 000003
【図２】
2011217996.tif 000004
【図３】
2011217996.tif 000005
【図４】
2011217996.tif 000006
【図５】
2011217996.tif 000007